(57)【要約】【課題】無線同報通信ネットワークにおける選択的ネットワーク切替え【解決手段】本開示は、多数の異なる基地局または送信機からの無線同報通信信号を受信することが出来る、移動通信デバイスに向けられる。該デバイスの所在地が該多数の送信機に対して相対的に移動すると、１つの送信機が最も強い或いは最高品質の信号を同報通信する送信機として識別される可能性がある。その判定が行われると、該移動デバイスの利用者は、その送信機の信号を受信することに切り替えるための機会を提示される。該利用者の応答に基づいて、該デバイスは、例えそれが最も強い信号を有さなくても、現在の送信機と共に留まる事が出来る、若しくは、該デバイスは、該新しい送信機の信号を取得して受信することを開始するように構成されることが出来る。送信機の信号の品質の測定は、予め決められた期間に亘って行われる多数の個々の測定を統合する合成評点に基づかれる。【選択図】      図１Ｂ
2008537395.tif 000002
【特許請求の範囲】
【請求項１】
無線通信デバイスであって、
複数の同報通信ネットワークのうち最高の品質評点を有する１つを決定するために構成されたプロセッサ、
該複数のネットワークのうちの該１つを選択することに関する命令を該デバイスの利用者から受信するために構成された利用者インターフェース、及び
該プロセッサによって制御され、そして、該命令に基づいて、現在の同報通信信号を復号することから該複数の同報通信ネットワークのうちの該１つの信号を復号することに変更するために構成された受信機
を具備する無線通信デバイス。
【請求項２】
該利用者インターフェースは、該複数のネットワークのうちの該１つを選択することに関する問い合わせを該利用者に提示するために更に構成される、
請求項１の無線通信デバイス。
【請求項３】
該複数の同報通信ネットワークは、該現在の同報通信信号を提供する現在の同報通信ネットワークを含む、請求項１の無線通信デバイス。
【請求項４】
該受信機は、復調器と復号器を具備する、
請求項１の無線通信デバイス。
【請求項５】
該受信機は、該複数の同報通信ネットワークのうちの少なくとも１つの部分集合からの個々の信号を受信するために更に構成される、
請求項１の無線通信デバイス。
【請求項６】
該プロセッサは、該複数の同報通信ネットワークのうちの該部分集合のそれぞれに対する個別品質評点を決定するために更に構成される、
請求項５の無線通信デバイス。
【請求項７】
該複数の同報通信ネットワークのうちの該部分集合のそれぞれに対する該個別品質評点は、該個々の信号に基づく、
請求項６の無線通信デバイス。
【請求項８】
該複数の同報通信ネットワークのうちの該部分集合のそれぞれに対する該個別品質評点は、該個々の信号のそれぞれの信号強度に基づく、
請求項６の無線通信デバイス。
【請求項９】
該複数の同報通信ネットワークのうちの該部分集合のそれぞれに対する該個別品質評点は、それぞれの個々の信号内の１又は複数の個々のパイロット信号に基づく、
請求項６の無線通信デバイス。
【請求項１０】
該利用者インターフェースは、復号を始めるために、該複数の同報通信ネットワークの中から少なくとも最上位２個の品質評点を含みそして新しい同報通信ネットワークの選択に関連する問い合わせを該利用者に提示するために更に構成される、
請求項６の無線通信デバイス。
【請求項１１】
該プロセッサは、該複数の同報通信ネットワークのうちの該部分集合のそれぞれに対して、
該個々の信号の複数のサンプルを取得するために、
それぞれのサンプルに対する中間的品質評点を決定するために、及び
個別品質評点を計算するために該中間的品質評点を統合するために、
更に構成される、
請求項５の無線通信デバイス。
【請求項１２】
該複数のサンプルは、２と５との間の数のサンプルを含む、請求項１１の無線通信デバイス。
【請求項１３】
それぞれが個々の信号を有する複数の同報通信ネットワークのうちの現在の同報通信ネットワークからの現在の信号を復号するために構成された受信機、
他者と比べて、最高評点を有する該個々の信号のうちの１つを決定するために構成されたプロセッサ、
復号するために該個々の信号のうちの該１つを選択することについての問い合わせを含む問い合わせを該デバイスの利用者に提示するために構成された利用者インターフェース、
該問い合わせに応じて該利用者からの指示を受信するために更に構成された利用者インターフェース、及び
該指示に応じて、
もし該指示がそのように指示するならば、例え該個々の信号のうちの該１つが該現在の信号でなくても、該現在の信号を復号し続けるために、若しくは
もし該指示がそのように指示するならば、該個々の信号のうちの該１つを復号するように切り替えるために
構成された受信機
を具備する無線通信デバイス。
【請求項１４】
該プロセッサは、該複数の同報通信ネットワークの該個々の信号に対する個別品質評点を決定するために構成される、
請求項１３の無線通信デバイス。
【請求項１５】
該問い合わせは、最上位ｎ個の品質評点を有する該個々の信号の識別を含む、ここでｎは２と４との間の数である、
請求項１４の無線通信デバイス。
【請求項１６】
該プロセッサは、該個々の信号のそれぞれのｎ個のサンプルに基づいて該個別品質評点を決定するために更に構成される、ここでｎは２と１０との間の数である、
請求項１４の無線通信デバイス。
【請求項１７】
ｎは２と５の間の数である、請求項１６の無線通信デバイス。
【請求項１８】
該個々の信号のそれぞれは、局地領域コンテントと広域コンテントとを含む、
請求項１３の無線通信デバイス。
【請求項１９】
該個々の信号の部分集合は、同一の広域コンテント有する一方で異なる局地領域コンテントを有する２以上の信号を含む、
請求項１８の無線通信デバイス。
【請求項２０】
無線通信デバイスにおいて複数の同報通信ネットワーク間で切り替える方法であって、
それぞれが各個の同報通信ネットワークからである複数の同報通信信号の中から現在の同報通信信号を復号すること
該複数の同報通信信号のうちの１つが現在の同報通信信号より高い品質評点を有するかどうかを判定すること、
該複数の同報通信信号のうちの該１つに切り替えるべきかどうかに関して該デバイスの利用者に問い合わせること、及び
もし該利用者が切り替えることを選ぶならば、該現在の同報通信信号に代わって該複数の同報通信信号の該１つを復号することを開始すること、その他の場合には該現在の同報通信信号を復号することを継続すること、
を具備する方法。
【請求項２１】
該複数の同報通信信号のそれぞれに対する個別品質評点を計算すること、を更に具備する、請求項２０の方法。
【請求項２２】
計算することは、
該複数の同報通信信号のそれぞれに対して複数のサンプルを取得すること、
該複数のサンプルのそれぞれに対する中間的品質評点を決定すること、及び
該個別品質評点のそれぞれを形成するために該中間的品質評点を統合すること、
を更に具備する、請求項２１の方法。
【請求項２３】
無線通信デバイスにおいて複数の同報通信ネットワーク間で切り替えるための命令の集合を含むコンピュータ可読記憶媒体であって、該命令は、
それぞれが各個の同報通信ネットワークから来る複数の同報通信信号の中から現在の同報通信信号を復号するためのルーチン、
該複数の同報通信信号のうちの１つが現在の同報通信信号より高い品質評点を有するかどうかを判定するためのルーチン、
該複数の同報通信信号のうちの該１つに切り替えるべきかどうかに関して該デバイスの利用者に問い合わせるためのルーチン、及び
もし該利用者が切り替えることを選ぶならば、現在の同報通信信号に代わって該複数の同報通信信号のうちの該１つを復号することを開始するための、その他の場合には該現在の同報通信信号を復号することを継続するための、ルーチン
を具備する、コンピュータ可読記憶媒体。
【請求項２４】
無線通信デバイスであって、
複数の同報通信ネットワークのうち最高の品質評点を有する１つを決定するための手段、
該複数のネットワークのうちの該１つを選択することに関する命令を該デバイスの利用者から受信するための手段、及び
該命令に基づいて、現在の同報通信信号を復号することから該複数の同報通信ネットワークのうちの該１つの信号を復号することに変更するための手段
を具備する無線通信デバイス。
【発明の詳細な説明】
【関連文献】
【０００１】
［３５Ｕ．Ｓ．Ｃ．§１１９に基づく優先権の主張］
本特許出願は、２００５年４月７日に提出され、本出願の譲受人に譲渡され、そして、本出願における参照としてここに明確に組み込まれた、“ＦＬＯのためのタイミング回復とネットワーク切替え”と題する米国特許仮出願番号第６０／６６９，５５５号に優先権を主張する。
【技術分野】
【０００２】
本開示は、一般に電気通信に係わり、そして特に、無線同報通信ネットワークを介して通信することが出来る移動通信デバイスを支えるシステムと方法に関する。
【背景技術】
【０００３】
無線および有線同報通信ネットワークは、大きなグループの複数の利用者に様々なデータ・コンテントを提供するために広く展開されている。普通の有線同報通信ネットワークは、多数の家庭にマルチメディア・コンテントを配信するケーブル・ネットワークである。ケーブル・ネットワークは、一般的にはヘッドエンドと配信ノードを含む。各ヘッドエンドは、様々な情報源からプログラムを受信し、それぞれのプログラムに対して分離した変調信号を生成し、全てのプログラムに対する該変調信号を出力信号の上に多重化し、そしてその出力信号を配信ノードに送る。それぞれのプログラムは、広い地理的領域（例えば、州全体）又はもっと狭い地理的領域（例えば、一都市）全体に配信されることが出来る。それぞれの配信ノードは、広い地理的領域の中の特定の地域（例えば、コミュニティ）を受け持つ。それぞれの配信ノードは、ヘッドエンドからの出力信号を受信し、その通信範囲に配信されるべきプログラムに対する該変調信号を異なる様々な周波数チャネルの上に多重化し、そしてその出力信号をその通信範囲内の家庭に送る。それぞれの配信ノードに対する該出力信号は、一般的には全国的プログラムと地域的プログラムの両方を運ぶが、それ等はしばしば出力信号上に多重化される別々の変調信号上で送られる。
【０００４】
無線同報通信ネットワークは、該ネットワークの通信範囲内の無線デバイスに無線を介してデータを送信する。しかしながら、無線同報通信ネットワークは、幾つか重要な点で有線同報通信ネットワークとは異なることが出来る。これ等の異なる領域の１つは、ほぼ定義によって、ケーブルＴＶ利用者が、ケーブル配線システムの終端（例えば、家または仕事の場所）に留まるのに対して、無線利用者は、移動できるということの直接的結果である。無線利用者は、移動できるが故に、利用者の所在地は、１つの同報通信ネットワークの通信範囲から別の同報通信ネットワークの通信範囲へ変化するという事態が生じ得る。もし２つの同報通信ネットワークが全く同じコンテントをまったく同じチャネルで同報通信するならば、その場合利用者は、１つのネットワーク送信機から別の送信機に（まるでセルラのハンドオフが起こるように）困難なく切り替えられることが出来る。しかしながら、多くの場合、隣接の同報通信ネットワークは、同じプログラムを提供しないし、或いは、同じプログラムを同じチャネルで提供することもない。このようにして、利用者を最近接同報通信ネットワークに自動的に切り替えることは、利用者が現在楽しんでいるマルチメディア・コンテント或いは双方向コンテントを妨害することがあり得る。従って、１つの無線同報通信ネットワークの無線利用者を、効果的で且つ顧客の立場に立った方法で、別の隣接同報通信ネットワークに切り替えることを可能にする必要性がある。
【発明の開示】
【サマリー】
【０００５】
無線同報通信ネットワーク・システムの１つの態様は、無線通信デバイスにおける同報通信ネットワーク間の切り替え方法に関する。この方法に従えば、現在の同報通信信号は、それぞれ対応する同報通信ネットワークから来る複数の同報通信信号の中から復号される。もし該複数の同報通信信号のうちの１つが現在の同報通信信号よりも高い品質評点を有すると判定されるならば、その場合、該デバイスの利用者は、該複数の同報通信信号のうちの該１つに切り替えるかどうかに関して尋ねられる。もし該利用者が切り替えることを選択するならば、その場合、該デバイスは、現在の同報通信信号の代わりに該複数の同報通信信号のうちの該１つを復号することを開始する。その他の場合、現在の同報通信信号の復号が継続される。
【０００６】
無線通信デバイスの別の態様は、最高の品質評点を有する複数の同報通信ネットワークの１つを決定するように構成されたプロセッサを含むデバイスに関する。該デバイスは、又、該複数のネットワークのうちの該１つを選択することに関する命令を該デバイスの利用者から受信するように構成される利用者インターフェース、及び、該プロセッサによって制御され、該命令に基づいて現在の同報通信信号を復号することから該複数の同報通信ネットワークのうちの該１つの信号を復号することに切り替えるように構成された受信機、を含む。
【０００７】
無線通信デバイスの更に別の態様は、それぞれ対応する信号を有する複数の同報通信ネットワーク内の現在の同報通信ネットワークからの現在の信号を復号するように構成された受信機を含むデバイスに関する。該デバイスは、他の信号と比べ、それぞれの信号の中で最高の品質評点を有する１つを決定するように構成されたプロセッサも有する。ａ）復号するためにそれぞれの信号の中の１つを選択することについての問い合わせを含む問い合わせを該デバイスの利用者に提示するように構成された、及び、ｂ）該問い合わせに応える利用者からの指示を受信するように構成された、利用者インターフェースもある。該デバイスは、該指示に従って、ａ）例え、該それぞれの信号の中の該１つが現在の信号でなくても、もし該指示がそのように指示するならば、現在の信号を復号することを継続するように構成された、或いは、ｂ）もし該指示がそのように指示するならば、該それぞれの信号の中の該１つを復号することに切り替えるように構成された、受信機を含む。
【０００８】
本発明の他の実施形態は、下記の詳細な説明、そこでは本発明の種々の実施形態のみが図面によって示されそして説明される、から当業者には容易に明らかになるということが理解される。いずれ理解されるように、全ては本発明の精神と範囲から逸脱することなく、本発明は、他のそして異なる実施形態を可能にし、そして、本発明のいくつかの詳細は、種々の他の観点での変更を可能にする。従って、図面及び詳細な説明は、本質的に例示的であると見做されるべきであって限定的であると見做されるべきではない。
【０００９】
無線通信システムの種々の態様が付図において例として、限定としてではなく、例示される。
【発明を実施するための最良の形態】
【００１０】
添付された図面に関連して下記に説明される詳細な説明は、本発明の種々の実施形態の説明として意図され、本発明が実行されることが可能な唯一の実施形態を表すとは意図されてない。詳細な説明は、本発明の完全な理解を提供する目的のために具体的な詳細を含む。しかしながら、本発明は、これ等の具体的な詳細がなくても実施されることが可能なことは、当業者等にとっては明らかである。ある複数の例では、公知の構造と構成が本発明の概念を曖昧にすることを避けるためにブロック図の形式で示される。
【００１１】
無線同報通信ネットワークにおいて異なる型の送信（例えば、局地送信と広域送信）を同報通信するための技術が本明細書で説明される。本明細書中で使用されるように、“同報通信”及び“同報通信すること”は、任意の大きさの利用者のグループへのコンテント／データの伝送のことを呼び、“マルチキャスト”或いは何か他の用語で呼ばれることも出来る。広域送信は、ネットワークにおける全ての又は多くの送信機によって同報通信されることが出来る送信である。局地送信は、所与の広域送信のための送信機の一部分によって同報通信されることが出来る送信である。異なる局地送信は、所与の広域送信のための送信機の異なる部分によって同報通信されると言える。異なる広域送信は、ネットワークにおける異なるグループの送信機によって同報通信されるとも言える。広域送信と局地送信は、一般的には異なるコンテンツを運ぶが、しかし、これ等の送信は、同じコンテントを運ぶことも出来る。
【００１２】
そのような同報通信ネットワークの１つの例は、２ビット／秒／Ｈｚのビット速度でプログラム構成を配送する、クァルコム社のメディアフロー（登録商標）（ＭｅｄｉａＦＬＯ（登録商標））ネットワークである。使用される技術は、著しい量の豊かなマルチメディア・コンテントを高い費用効率で無線加入者達にマルチキャストするために特別に設計された直交周波数分割多重化（orthogonal frequency division multiplexing）（ＯＦＤＭ）に基づく無線インターフェースである。それは、同一コンテントを無数の利用者に同時に配送する費用を著しく低減するために、単一周波数ネットワークにおけるマルチキャスト技術を利用する。更に、単一無線周波数（ＲＦ）チャネル（例えば、７００ＭＨｚ）の範囲内における局地通信範囲と広域通信範囲の共存が上述で説明されたようにサポートされる。広域と局地の間のこの分割は、更に的の絞られたプログラム編成、局地的広告、及び、必要に応じてブラックアウトや再同調する能力をサポートする。メディアフローは、本明細書で説明される同報通信ネットワークの型の単なる一例であって、他の機能的に同等な同報通信ネットワークも又想定されている。
【００１３】
ケーブルＴＶとよく似て、無線同報通信ネットワーク内部の加入者は、彼等にチャネルのセット（例えば、テニス、ＥＳＰＮ、ソープ・オペラ、ＢＢＣ等々）を提供する様々なサービス（例えば、プレミアム・ムービー、スポーツ等々）のパッケージと階層に申し込むことが出来る。様々なコンテント・プロバイダは、コンテントを同報通信ネットワークに転送し、該ネットワークは、次に該コンテントを統合してそれを予め決められたスケジュールに従って同報通信する。利用者の移動デバイスの事前設定の間に利用者が加入するチャネルを受信して復号する能力が該移動デバイスにプログラムされる。事前設定は、続いて他のパッケージやチャネルを除いたり加えたりするために更新されることが出来る。当業者は、直前に説明されたチャネルの階層的配列は、マルチメディアや他のコンテントを提供する仕方の単なる一例であることを理解する。データとそのそれぞれのチャネルの他の配列と構成は、本発明の範囲から逸脱することなく利用されることが出来る。
【００１４】
図１Ａは、２つの具体例の無線同報通信ネットワーク１０２、１０４を表す。これ等のネットワーク１０２、１０４のそれぞれは、比較的大きな地理的領域の中の多数の加入者に種々の異なるチャネルやコンテントを提供できる。例えば、ネットワーク１０２の送信機Ｔ１１２０は、種々のチャネルを同報通信できる、そして、送信機Ｔ２１３０は、ネットワークの通信範囲１０４内でそれ自身のチャネルを同報通信できる。
【００１５】
異なる送信機１２０、１３０からの同報通信は、必ずしも同じであるとは限らず、異なるチャネルを含むことが出来るし或いは異なるコンテントを含むことが出来る。例えば、一方のネットワーク１０２は、太平洋時間帯であるのに対して、他方のネットワークは、山地時間帯であることが出来る。このようにして、例え双方のネットワークが同じチャネルを供給しても、実際に同報通信されるプログラムは、時間帯の相違により異なることがあり得る（例えば、メーンイベント映画は、常に地方時午後８：００に始まるようにスケジュールされる）。更に、論理チャネル（例えば、ＥＳＰＮ）と物理チャネル（例えば、特別な時分割多重（ＴＤＭ）タイム・スロット、或いは特別な周波数帯）がある。従って、例え双方のネットワーク１０２、１０４がＥＳＰＮを提供しても、それ等は同じ物理チャネル上でそれを同報通信しないことがあり得る。
【００１６】
これ等の違いの結果は、利用可能なコンテントへの接続は、無線利用者が１つの同報通信ネットワーク１０２の通信範囲から異なる同報通信ネットワーク１０４へ移動する場合、変化することがあり得る、ということである。図１Ａを参照して、移動デバイス１１０は、明らかにネットワーク１０４の通信範囲内にあるが、しかし、他の移動デバイス１０８は、両ネットワーク１０２、１０４の存在を検出できる。移動デバイス１０８がネットワーク通信範囲１０４から他のネットワーク通信範囲１０２に移動すると、送信機Ｔ１１２０からの同報通信信号は、送信機Ｔ２１３０からの同報通信信号と比べてより強くなる。信号がより強い故に、移動デバイス１０８の利用者は、ネットワーク１０２内でより良いサービスを提供される、その理由は信号遅れや信号誤りがより少ないからである。従って、移動デバイス１０８が行うべき最良のことは、２つの送信機１２０、１３０からの信号強度を測定してより強い信号に接続することであるように見える。このようなアプローチは多くの欠点を有する。
【００１７】
第１に、２つのネットワーク間の遷移領域は、明確に定義された領域ではなく、隣接構造物、移動方向、天候、及びその他類似の因子次第で変わり得る。かくして、利用者が１つのネットワーク通信範囲から別の方へ移動する場合、より強い信号を有する送信機１２０、１３０は、該利用者が新しいネットワークの通信範囲にはっきりと落ち着くまで、何度も出たり入ったりの変化をすることがある。従って、もし該デバイス１０８が新しいネットワークが検出される毎に最も強いネットワークに変わるならば、顧客にとって利用可能なコンテントも出たり入ったりの変化をする。このような事態は、多くの場合、特に、リアルタイム・コンテントや双方向コンテントに関してはひどく破壊的である。
【００１８】
第２に該デバイス１０８の利用者は、例え信号が劣化し或いは弱くても、特別なコンテント・チャネルを楽しむことを続けたいと思うかも知れない。例えば、もしスポーツ・イベントが観戦されており、最後の数分または数秒であるならば、該利用者は、最後の瞬間を途切れずに観戦することを確保するために進んで劣化したサービスに悩むことになる。
【００１９】
別の可能な状況が移動デバイス１０６に関連して説明される。例え、このデバイス１０６が明らかにネットワーク通信範囲１０２の内部にあるように見えたとしても、送信機Ｔ１１２０からの信号は、必ずしも何時も最強であるとは限らない。例えば、デバイス１０６と送信機１２０との間に、デバイス１０６のための受信を劣化させる“影”を作る建物あるいは他の構造物があり得る。この影の内部では、他の送信機Ｔ２１３０からの信号が実際にはより強い信号であると感知され得る。かくして、もし異なるネットワークへの切り替えが瞬時且つ自動的であるならば、デバイス１０８は、該影に入る時と出る時に異なるネットワークに接続する。
【００２０】
図１Ｂのネットワーク図は、移動デバイスが異なるネットワーク間を遷移することが出来る別の状況を示す。この例では、３つの送信機が（図示されてない他の送信機と共に）広域ネットワーク１４９を作る領域を覆って信号を送信する。この領域１４９の内部には、領域全体に対して同一である変化しないコンテントの組がある。このことは、例え移動デバイスが３つの局地領域１５０、１５２、１５４の１つの内部にあっても真である。それ等の領域の内部には、しかしながら、異なるネットワーク１５０、１５２、１５４の間で異なる一部の同報通信コンテントがある。このようにして、それぞれのネットワーク１５０、１５２、１５４は、共通の広域コンテントと共にそれぞれ送信機１５１、１５３、１５５によって同報通信されるそれ自身の独自の局地コンテントを有する。デバイス１６０と１６２が広域ネットワーク１４９全域を移動する場合、広域コンテントは同じもので留まるが、局地コンテントは異なることが出来る。このようにして、図１Ａに関して説明された状況と同様に、異なる隣接ネットワーク間で切り替えることが有用な場合があり、そして、切り替えが避けられるべき場合があり得る。
【００２１】
一般的には、送信機１５１、１５３、１５５は、移動デバイスが望みのコンテントを引き出すために捕捉、復調そして復号する信号を同報通信する。先述のＯＦＤＭシステムでは、これ等の信号は、広域コンテント・データ、局地コンテント・データ、オーバーヘッド情報、及びタイミング信号を含むことが出来る。一般にパイロット信号と呼ばれる、タイミング信号は、同報通信信号の受信を認識するために、そして、該信号の残りの部分のための基準時を設定するために、移動デバイスによって利用される。コンテント・データは、異なるチャネルに分けられ、そして、（符号化法に従って）別々の時間あるいは周波数で同報通信されることが出来る。オーバーヘッド情報は、同報通信信号の何れの部分が復号されるべきかを決定するために移動デバイスによって利用されることが出来る。例えば、もし利用者が提供される２０或いは５０のチャネルの中から１つのチャネルを受信することを望むだけならば、その場合、移動デバイスは、望みのチャネルに関連する同報通信信号のその部分のみを復調するためそして復号するために該オーバーヘッド情報を利用することが出来る。このように実行することは、効果的な電力使用をもたらし、そして、バッテリーの動作寿命を延長する。
【００２２】
局地送信及び広域送信に対するデータ・パイロット、及びオーバーヘッド情報は、種々の方法で多重化されることが出来る。例えば、広域送信のためのデータ・シンボルは、広域送信に対して割り当てられた“伝送スパン”の上へと多重化されることが出来、局地送信のためのデータ・シンボルは、局地送信に対して割り当てられた伝送スパンの上へと多重化されることが出来、広域送信のためのＴＤＭパイロット及び／又はＦＤＭパイロットは、これ等のパイロットに対して割り当てられた伝送スパンの上へと多重化されることが出来、そして局地送信のためのＴＤＭパイロット及び／又はＦＤＭパイロットは、これ等のパイロットに対して割り当てられた伝送スパンの上へと多重化されることが出来る。局地送信および広域送信ためのオーバーヘッド情報は、１又は複数の指定された伝送スパンの上へと多重化されることが出来る。異なる伝送スパンは、（１）もしＦＤＭが無線同報通信ネットワークによって利用されるならば、異なる周波数サブバンドの集合、（２）もしＴＤＭが利用されるならば異なるタイム・セグメント、或いは（３）もしＴＤＭとＦＤＭの双方が利用されるならば異なるタイム・セグメントにおける異なるサブバンドグループ、に対応することが出来る。種々の多重化方式が下記に説明される。２を超える異なる階層の通信範囲を持つ２を超える異なる型の伝送が処理され、多重化され、そして同報通信されることが出来る。無線同報通信ネットワーク中の無線デバイスは、局地送信および広域送信のためのデータを回復するために相補的な処理を実行する。
【００２３】
図２は、ＯＦＤＭに基づく無線同報通信ネットワークにおいて局地送信および広域送信を同報通信するために使用されることが出来る具体例のスーパーフレーム構成２００を示す。データ伝送は、スーパーフレームの構成単位２１０の中で行われる。それぞれのスーパーフレームは、予め決められた期間に広がり、該期間は、例えば同報通信されるべきデータ・ストリームにとって好ましい統計的多重化、データ・ストリームにとって好ましい時間ダイバーシティ量、データ・ストリームのための捕捉時間、無線デバイスのためのバッファ要求、等々のような、種々の因子に基づいて選択されることが出来る。約１秒のスーパーフレームの大きさは、上記の種々の因子の間の良い妥協点を与えることがある。しかしながら、他のスーパーフレームの大きさも又使用され得る。
【００２４】
図２で示される実施形態に関しては、それぞれのスーパーフレーム２１０は、ヘッダ・セグメント２２０、２３０ａから２３０ｄに至る４個の等しい大きさのフレーム、及びトレーラ・セグメント２４０を含む、但しそれ等は図２では一定の縮尺では示されてない。表１は、セグメント２２０と２４０に対する及びそれぞれのフレーム２３０に対する種々のフィールドを列挙する。
【表１】
2008537395.tif 000003
【００２５】
図２で示される実施形態に関しては、異なる目的のためには異なるパイロットが使用される。一対のＴＤＭパイロット２０１がそれぞれのスーパーフレームの開始時またはその近くで送信されて、表１で記された目的のために使用されることが出来る。遷移パイロットが局地フィールド／送信と広域フィールド／送信との間の境界で送られて、局地フィールド／送信と広域フィールド／送信との間の継ぎ目のない遷移を可能にする。
【００２６】
局地送信と広域送信は、例えばビデオ、音声、文字放送、データ、ビデオ／音声クリップ、等々のようなマルチメディア・コンテントのためであることが出来て、別々のデータ・ストリームで送られることが出来る。例えば、単一のマルチメディア（例えば、テレビ）がビデオ、音声、及びデータのための３つの分離したデータ・ストリームで送られることが出来る。該データ・ストリームは、データ・チャネル上で送られる。それぞれのデータ・チャネルは、１又は複数のデータ・ストリームを運ぶことが出来る。局地送信に対するデータ・ストリームを運ぶデータ・チャネルは、“局地チャネル”と呼ばれることもあり、広域送信に対するデータ・ストリームを運ぶデータ・チャネルは、“広域チャネル”と呼ばれることもある。局地チャネルは、スーパーフレームの局地データ・フィールドで送られ、そして、広域チャネルは、スーパーフレームの広域データ・フィールドで送られる。
【００２７】
それぞれのデータ・チャネルは、該データ・チャネルに対するペイロード、スーパーフレーム中のインターレースの利用可能性、及び恐らく他の因子に応じて、それぞれのスーパーフレームの中に一定数の又は可変数のインターレースを“割り当てられる”ことが出来る。それぞれのデータ・チャネルは、任意の定められたスーパーフレームの中でアクティブ又は非アクティブであることが出来る。それぞれのアクティブ・データ・チャネルは、少なくとも１つのインターレースを割り当てられる。それぞれのアクティブ・データ・チャネルは、割り当て方式に基づいて該スーパーフレームの内部に特定のインターレースを“割り当てられる”こともある。該割り当て方式は、（１）全てのアクティブ・データ・チャネルを出来る限り効率的にまとめること、（２）それぞれのデータ・チャネルに対する伝送時間を低減すること、（３）それぞれのデータ・チャネルに対して適切な時間ダイバーシティを与えること、及び（４）それぞれのデータ・チャネルに割り当てられたインターレースを示すために必要とされるシグナリング量を最小にすること、を企図する。それぞれのアクティブ・データ・チャネルに関しては、同一インターレース割り当てがスーパーフレームの４個のフレームに対して使用されることが出来る。
【００２８】
局地ＯＩＳフィールドは、現在のスーパーフレームに対するそれぞれのアクティブな局地チャネルのための時間−周波数割り当てを示す。広域ＯＩＳフィールドは、現在のスーパーフレームに対するそれぞれのアクティブな広域チャネルのための時間−周波数割り当てを示す。局地ＯＩＳと広域ＯＩＳは、それぞれのスーパーフレームの開始時に送られて無線デバイスが該スーパーフレームにおいて関連するそれぞれのデータの時間−周波数配置を決めることを可能にする。
【００２９】
スーパーフレームの種々のフィールドは、図２に示される順番で、又はその他の順番で送られることが出来る。一般に、ＴＤＭパイロットとオーバーヘッド情報がスーパーフレームにおいて後から送られるデータを受信するために使用されることが出来るように、該スーパーフレームにおいてＴＤＭパイロットとオーバーヘッド情報を早期に送ることが望ましい。広域送信は、図２に示されるように、局地送信に先行して送られることも、或いは、局地送信の後に送られることも可能である。
【００３０】
図２は、１つの具体的なスーパーフレーム構成を示す。一般に、スーパーフレームは、任意の期間に亘ることが出来る、そして、任意の数と任意の型のセグメント、フレーム及びフィールドを含むことが出来る。しかしながら、受信機電子技術のための捕捉時間とサイクル・タイムに関連してスーパーフレームの期間の有用な範囲が通常存在する。他のスーパーフレームとフレーム構成が異なる型の伝送を同報通信するために使用されることも出来る、そして、これは本発明の範囲内である。
【００３１】
同報通信型伝送の間に送信される図２のパイロット信号は、（１）広域送信のためのチャネル推定、これは広域チャネル推定とも呼ばれる、及び（２）局地送信のためのチャネル推定、これは局地チャネル推定とも呼ばれる、を導出するために使用されることが出来る。局地チャネル推定と広域チャネル推定は、それぞれ局地送信と広域送信に対するデータ検出と復号のために使用されることが出来る。これ等のパイロットは、チャネル推定、時刻同期、捕捉（例えば、自動利得制御（ＡＧＣ））、等々のために使用されることも出来る。遷移パイロットは、広域送信と同様に局地送信に対して改良されたタイミングを取得するために使用されることも出来る。
【００３２】
図３は、図１Ａ及び図１Ｂの無線同報通信ネットワーク１００における基地局１０１０と無線デバイス１０５０のブロック図を示す。基地局１０１０は、一般に固定局であって、中継点、送信機、又は何か他の用語で呼ばれることもある。無線デバイス１０５０は、固定あるいは可動であって、利用者端末、移動局、受信機、又は何か他の用語で呼ばれることもある。無線デバイス１０５０は、セルラ電話、ハンドヘルド・デバイス、無線モジュール、個人ディジタル補助装置（personal digital assistant）（ＰＤＡ）、等々のような携帯ユニットであることも出来る。
【００３３】
基地局１０１０では、送信（transmit）（ＴＸ）データ・プロセッサ１０２２は、情報源１０１２から広域送信のためのデータを受信し、該広域データを処理し（例えば、符号化し、インターリーブし、そしてシンボル・マップする）、そして広域送信のためのデータ・シンボルを生成する。データ・シンボルは、データのための変調シンボルであり、そして変調シンボルは、変調方式（例えば、Ｍ−ＰＳＫ、Ｍ−ＱＡＭ、等々）に関する信号コンステレーション中の１点に対する複素値である。ＴＸデータ・プロセッサ１０２２は、又基地局１０１０が属する広域に対してＦＤＭパイロット及び遷移パイロットを生成して、該広域に対するデータ・シンボル及びパイロット・シンボルを多重化装置（multiplexer）（Ｍｕｘ）１０２６に供給する。ＴＸデータ・プロセッサ１０２４は、情報源１０１４から局地送信のためのデータを受け取り、該局地データを処理し、そして局地送信のためのデータ・シンボルを生成する。ＴＸデータ・プロセッサ１０２４は、又基地局１０１０が属する局地領域に対してパイロットを生成して、該局地領域に対するデータ・シンボル及びパイロット・シンボルを多重化装置１０２６に供給する。データに対する符号化と変調は、例えば、該データが広域送信に対するものか局地送信に対するものか、データの型、該データのための望ましい通信範囲、等々のような、種々の因子に基づいて選択されることが出来る。
【００３４】
多重化装置１０２６は、オーバーヘッド情報とＴＤＭパイロットのためのシンボルと同様に局地及び広域のためのデータ・シンボルとパイロット・シンボルをこれ等のシンボルに割り当てられたサブバンドとシンボル期間の上へと多重化する。変調器（modulator）（Ｍｏｄ）１０２８は、ネットワーク１００によって使用される変調技術に従って変調を実行する。例えば、変調器１０２８は、多重化されたシンボル上でＯＦＤＭ変調を実行してＯＦＤＭシンボルを生成する。送信機ユニット（ＴＭＴＲ）１０３２は、変調器１０２８からのシンボルを１又は複数のアナログ信号に変換し、そして、更に該アナログ信号を調整して（例えば、増幅し、フィルタ処理し、そして周波数アップコンバートして）変調信号を生成する。基地局１０１０は、次に該変調信号をアンテナ１０３４を介してネットワークの中の無線デバイスに送信する。
【００３５】
無線デバイス１０５０では、基地局１０１０からの送信信号は、アンテナ１０５２によって受信されて、受信機ユニット（ＲＣＶＲ）１０５４に供給される。受信機ユニット１０５４は、該受信信号を調整し、そして（例えば、フィルタ処理し、増幅し、そして周波数ダウンコンバートして）、該調整された信号をディジタル化してデータ・サンプルのストリームを生成する。復調器（demodulator）（Ｄｅｍｏｄ）１０６０は、データ・サンプルを（例えば、ＯＦＤＭ）復調し、そして受け取られたパイロット・シンボルを同期（synchronization）（Ｓｙｎｃ）／チャネル推定ユニット１０８０に供給する。ユニット１０８０は又受信機ユニット１０５４からデータ・サンプルを受け取り、該データ・サンプルに基づいてフレーム・タイミングとシンボル・タイミングを決定し、そして、局地及び広域に対するチャネル推定値をこれらの領域に対して受け取られたパイロット・シンボルに基づいて導出する。ユニット１０８０は、該シンボル・タイミングとチャネル推定値を復調器１０６０に供給し、そして該フレーム・タイミングを復調器１０６０及び／又は制御器１０９０に供給する。復調器１０６０は、局地送信に関する受け取られたデータ・シンボルについて局地チャネル推定値を用いてデータ検出を実行し、広域送信に関する受け取られたデータ・シンボルについて広域チャネル推定値を用いてデータ検出を実行し、そして、局地送信と広域送信に関する検出されたデータ・シンボルを逆多重化装置（demultiplexer）（Ｄｅｍｕｘ）１０６２に供給する。該検出されたデータ・シンボルは、基地局１０１０によって送られたデータ・シンボルの推定値であって、対数尤度比（log-likelihood ratio）（ＬＬＲ）又はいずれかの他の形式で供給されることが出来る。
【００３６】
逆多重化装置１０６２は、関係する全ての広域チャネルに関する検出されたシンボルを受信（ＲＸ）データ・プロセッサ１０７２に供給し、そして、関係する全ての局地チャネルに関する検出されたシンボルをＲＸデータ・プロセッサ１０７４に供給する。ＲＸデータ・プロセッサ１０７２は、適用可能な復調及び復号方式に従って広域送信に関する該検出されたシンボルを処理し（例えば、デインターリーブしそして復号して）、そして広域送信のための復号データを供給する。ＲＸデータ・プロセッサ１０７４は、適用可能な復調及び復号方式に従って局地送信に関する該検出されたシンボルを処理し、そして局地送信のための復号データを供給する。一般に、無線デバイス１０５０における復調器１０６０、逆多重化装置１０６２、及びＲＸデータ・プロセッサ１０７２と１０７４による処理は、基地局１０１０における変調器１０２８、多重化装置１０２６、及びＴＸデータ・プロセッサ１０２２と１０２４による処理にそれぞれ相補的である。
【００３７】
制御器１０４０と１０９０は、それぞれ基地局１０１０と無線デバイス１０５０における動作を管理する。これ等の制御器は、ハードウェアを基にすることが出来るし、ソフトウェアを基にすることが出来るし、或いは両者の組み合わせであっても良い。メモリ・ユニット１０４２と１０９２は、それぞれ制御器１０４０と１０９０によって使用されるプログラム・コードとデータを記憶する。スケジューラ１０４４は、局地送信と広域送信の同報通信予定を作成し、異なる送信の型に対してリソースを割り当てて配置する。
【００３８】
簡明を期するため、図３は、局地送信と広域送信に対するデータ処理が基地局１０１０無線デバイス１０５０のどちらにおいても２つの異なるデータ・プロセッサによって実行されることを示す。全ての型の送信に対するデータ処理は、基地局１０１０と無線デバイス１０５０それぞれにおいて単一のデータ・プロセッサによって処理されることが可能である。図３は、又２つの異なる型の送信に対する処理を示す。一般に、異なる通信範囲を持つ任意の数の型の送信は、基地局１０１０によって送信され、無線デバイス１０５０によって受信されることが出来る。簡明を期するため、図３は、又基地局１０１０のための全ユニットが同一場所に配置されていることを示す。一般に、これ等のユニットは、同一又は異なる場所に配置されることが出来て様々な通信回線を介して通信することが出来る。例えば、データ情報源１０１２と１０１４は、離れた場所に配置されることが出来、送信機ユニット１０３２及び／又はアンテナ１０３４は、送信場所に配置されることが出来る、等々。
【００３９】
利用者インターフェース１０９４も又デバイス１０５０の利用者がその動作の諸局面を制御することを可能にする制御器１０９０と通信する。例えば、インターフェース１０９４は、利用者に命令や指示の入力を促し、次に、それ等が受信されれば直ちにそれ等を処理するために必要とされる、基本的なハードウェア及びソフトウェアと共にキーパッドと表示装置を含むことが出来る。例えば、利用者インターフェース１０９４は、新しいネットワークが現在のネットワークより良好な信号強度を提供していることを利用者に喚起するために、そして、該利用者にデバイス１０５０が新しいネットワークを捕捉すべきかどうかを尋ねるために、使用されることが出来る。該他のネットワークの表示は、それ等の信号品質又は強度を指示する評点又は値のみならずそれ等のＷＩＣ／ＬＩＣ情報も含むことが出来る。
【００４０】
図４は、移動デバイスが１つの同報通信ネットワークから別の方へ切り替えるべき時を判断するための具体例の方法の流れ図を表す。ステップ４０２では、移動デバイスは、正常に動作し、そして、現在選択されているサービス提供中の同報通信ネットワークに基づいてデータを復調しそして復号する。信号の復調および復号は、タイミング情報とチャネル推定値を提供する先行して検出されたＴＤＭパイロット信号に（同様に、恐らく他のパイロット信号に）基づいて行われる。
【００４１】
復号の期間中に、誤りは、生じることがありそして誤り訂正符号および他の技術の利用を介して検出されることがあり得る。無線環境の不確実性の故に、正しく動作するシステムにおいてすらある程度の誤りは起こる可能性がある。かくして、許容できる数の誤りを定義する閾値が通常選択される。この誤りの許容数は、スーパーフレーム全体に基準を置かれることが出来るし、或いは、該スーパーフレーム内の個々の分離したフレームに基準を置かれることも出来る。かくして、ある閾値は、スーパーフレーム全体の中で１６以下の誤りであり得るし、他方、別の閾値は、個々のどのフレームの中でも２を超えない誤りであり得る。更に、該閾値は、広域データよりも局地領域データでより多くの誤りが許容されるように、局地領域データに対して広域データに特有であることも出来る。ともかく、予め設定された誤り閾値が超えられたかどうかを測定しそして判断する多くの様々な方法があることを当業者は認める。
【００４２】
ステップ４０４で、もし許容数を超える誤りに到達すると、その場合、ステップ４０６で、移動デバイス上で実行するソフトウェアは、復調器に現在の信号を再捕捉させる。この再捕捉は、ゼロから始める全く新しい捕捉であることが出来るし、或いは、先に検出された情報のうちあるものを使用する部分的再捕捉であることが出来る。例えば、図２のスーパーフレームを使用する信号を再捕捉する１つの有利な方法は、ＷＩＣ／ＬＩＣ、ＴＤＭ２及びＯＩＳを再捕捉することを試みることである。該再捕捉情報に基づけば、将来の復調と復号に対する時間分解能が改善される可能性がある。このステップは、単純にタイミング問題で引き起こされた如何なる問題も正す可能性を持つ。
【００４３】
ステップ４０８では、移動デバイスは、現在サービス提供中のネットワークからのデータを復調することおよび復号することを継続する。並行して、ステップ４１０では、移動デバイスは、それが検出できる全ての信号を捕捉し、そして、それぞれの信号の品質を示す評点を生成する。有利なことに、それぞれの信号に対するサンプル数は１を超え、従って、それぞれの信号に対する品質評点は、それぞれの信号に対する様々なサンプルに基づいた合成評点である。例えば、それぞれの信号に対して５サンプル（又は、より多い又は少ないサンプル）が検出されることが出来て、それぞれのサンプルに対する個別品質評点は、まとめて平均され信号に対する合成評点を生成する。図２のスーパーフレームを使用すると、全ての検出可能なネットワーク候補に対するＷＩＣ／ＬＩＣ、ＴＤＭ２及びＯＩＳが捕捉されることが出来る。パイロット信号及び又は他の信号に基づいて、品質評点がそれぞれのＷＩＣ／ＬＩＣに割り当てられることが出来る。既述のように、この品質評点は、複数のスーパーフレームを検出することによってそれぞれのＷＩＣ／ＬＩＣから作られることが出来る。
【００４４】
ステップ４１２では、現在サービス提供中の同報通信ネットワークのＷＩＣ／ＬＩＣは、ステップ４１０で配置されたネットワーク候補リストからの（品質評点に基づく）首位ネットワークであるかどうかの判定が行われる。もし候補リストにおける首位ネットワークが異なるならば、次に該利用者は、新しいネットワークへ切り替えるか或いは現在のネットワーク上に留まるかの選択を提示されることが出来る。もし利用者が留まるならば、その場合、受信信号は、劣化した品質になるかもしれないが、その信号は復調されそして復号され続ける。結局、信号は、あまりにも劣化するようになることがあり、信号掌握が失われる。
【００４５】
ステップ４１４では、もし利用者がネットワークを切り替えることを選択すると、次に、移動デバイスは、新しいネットワークの完全な再捕捉を実行する。図２のスーパーフレーム例を使用して、移動デバイスは、新しいネットワークに対するＷＩＣ／ＬＩＣ、ＴＤＭ２及びＯＩＳを捕捉してその同報通信信号を復調しそして復号することを始める。
【００４６】
上述の方法は、少なくとも２つの異なる方法で先に説明された２つの隣接ネットワーク間の切り替えのピンポン効果を防止する。第一に、切り替えないことを選択することによって、例え２つのネットワークの相対的信号強度がそうでないと示されても、１つのネットワークから別のネットワークへの自動切り替えを防止することが出来る。第２に、多数のサンプルにわたり品質評点を統合することによって、信号強度の一時的異常は、問題を引き起こさぬように無視される。従って、２つのネットワーク間の切り替えは、依然として効率的に行われることが出来るが、利用者の立場に立った仕方で実行される。
【００４７】
図５は、本発明の原理に従って動作する移動デバイス５００の代わりの、ブロック・レベルの図を示す。複数の同報通信ネットワークのそれぞれに対する個々の品質評点を判定する判定手段５０２がある。この品質評点は、許容水準の誤りを持つ特定の同報通信ネットワーク信号を受信して復号することに成功する可能性を示す。デバイス５００は、デバイス５００の利用者またはオペレータから命令を受信する受信手段も含む。該命令は、該利用者が１つのネットワークから別のネットワークへ切り替えたいか否かに関連する。受信手段５０４と判定手段５０２の結果は、復号手段５０６に供給される。より詳しくは、該復号手段は、同報通信ネットワーク信号の何れが復号されるべきかを選択できる。例えば、該復号手段は、その現在の選択に留まって、現在の同報通信ネットワーク信号を受信し復号することを継続することが出来る。それに代わって、もしそのように命令されるならば、該復号手段は、異なる同報通信ネットワーク信号、最高品質評点を有する信号、を受信しそして復号するように切り替えることが出来る。従って、移動デバイス５００は、利用者入力が、デバイス５００が１つの同報通信ネットワークから別の方へ切り替えるか否かにおける一決定要因の役割を演ずることが出来るように動作する。
【００４８】
本明細書中で説明された無線を介して異なる型の伝送を同報通信するための技術は、様々な手段によって実装されることが出来る。例えば、これ等の技術は、ハードウェア、ソフトウェア、或いはこれらの組合せにおいて実装されることが出来る。ハードウェア実装に関しては、異なる型の伝送を同報通信するために使用される基地局における処理ユニットは、１又は複数の特定用途向け集積回路（application specific integrated circuit）（ＡＳＩＣｓ）、ディジタル信号プロセッサ（digital signal processors）（ＤＳＰｓ）、ディジタル信号処理デバイス（digital signal processing devices）（ＤＳＰＤｓ）、プログラマブル・ロジック・デバイス（programmable logic devices）（ＰＬＤｓ）、フィールド・プログラマブル・ゲート・アレイ（field programmable gate arrays）（ＦＰＧＡｓ）、プロセッサ、制御器、マイクロ制御器、マイクロプロセッサ、本明細書中で説明された諸機能を実行するために設計された他の電子ユニット、又はそれ等の組合せ、の内部に実装されることが可能である。異なる型の伝送を受信するために使用される無線デバイスにおける処理ユニットは、１又は複数のＡＳＩＣ、ＤＳＰ、等々の内部に実装されることも可能である。
【００４９】
ソフトウェアの実装に関しては、本明細書中で説明された技術は、本明細書中で説明された諸機能を実行するモジュール（例えば、処理手順、関数、等々）を用いて実装されることが出来る。ソフトウェア・コードは、メモリ・ユニット（例えば、図３におけるメモリ・ユニット１０４２又は１０９２）の中に記憶されることができ、そして、プロセッサ（例えば、制御器１０４０又は１０９０）により実行されることが出来る。メモリ・ユニットは、プロセッサの内部又はプロセッサの外部に実装されることが出来る、後者の場合、メモリ・ユニットは、当業者に公知の各種の手段を介してプロセッサに通信上で接続されることが出来る。
【００５０】
先述の説明は、当業者の誰もが本明細書で説明された種々の実施形態を実行することを可能にするために提供されている。これ等の実施形態への種々の改変は、当業者等には容易に明白であり、そして、本明細書中で定義される包括的な原理は、他の実施形態に適用されることが出来る。かくして、本発明の請求範囲は、本明細書中に示される実施形態に限定されるようには意図されておらず、言語による請求の範囲と首尾一貫する最も広い範囲を認容されるべきである。該請求の範囲では単数での要素への指示内容は、特にそのように記載されない限り“１つ及び唯１つ”を意味するようには意図されておらず、むしろ“１または複数”を意味する。当業者等にとって公知の又は後に公知になるはずの本開示全体に亘って説明された種々の実施形態の諸構成要素に対する全ての構造的および機能的同等物は、参照によって本明細書中に明白に組み込まれており、そして、請求項によって包含されるように意図されている。更に、本明細書において開示された一切の事項は、そのような開示が請求項中で明確に説明されているかどうかに拘わらず公共の用に供するようには意図されない。何れの請求項の要素も、該要素が語句“ための手段”を用いて明白に説明されてない限り、或いは方法請求の場合は、該要素が語句“ためのステップ”を用いて説明されてない限り、３５Ｕ．Ｓ．Ｃ．§１１２、第６節の規定に基づいて解釈されるべきではない。
【図面の簡単な説明】
【００５１】
【図１Ａ】図１Ａは、２つの隣接する無線同報通信ネットワークの略図である。
【図１Ｂ】図１Ｂは、異なる局地コンテントを有する隣接する無線同報通信ネットワークの略図である。
【図２】図２は、図１Ａ及び図１Ｂのネットワーク内で同報通信されることが出来る具体例のスーパーフレームを表す。
【図３】図３は、図１Ａ及び図１Ｂのネットワークの部分を実行するための基地局と移動デバイスを図示する。
【図４】図４は、移動デバイスが異なる無線同報通信ネットワーク間を切り替えるための具体例の方法の流れ図を表す。
【図５】図５は、本発明の原理に従う移動デバイスの代わりの実施形態を図示する。
【符号の説明】
【００５２】
１０２、１０４…ネットワーク通信範囲、１０６、１０８、１１０…移動デバイス、１２０、１３０…送信機、１５１、１５３、１５５…送信機、１６０、１６２…移動デバイス、２００…スーパーフレーム、１０１０…基地局、１０５０…無線デバイス、ＴＤＭ…時分割多重パイロット、ＷＩＣ…広域識別チャネル、ＬＩＣ…局地識別チャネル、ＯＩＳ…オーバーヘッド情報シンボル、ＴＰｉｌｏｔ…トランジション・パイロット。
【図１Ａ】
2008537395.tif 000004
【図１Ｂ】
2008537395.tif 000005
【図２】
2008537395.tif 000006
【図３】
2008537395.tif 000007
【図４】
2008537395.tif 000008
【図５】
2008537395.tif 000009
【国際調査報告】
2008537395.tif 000010
2008537395.tif 000011
2008537395.tif 000012